(57)【要約】      （修正有）【課題】熟練者は勿論のこと、熟練者でなくても各種部材を押し付けることが可能な作業補助用の押付工具を提供する。【解決手段】押付工具の胴部１及び先端の弾性部２が適宜な変形力と復元力とを有した同一の材質で一体的に形成し、胴部の上面１ｂへは当該胴部の変形力を弱めて硬質とすると共に胴部を把持して該弾性部の底面へ当接した各種部材に対して面状に押圧力を付与することができる硬質プレート３を接着とする。ここにおいて、押付工具の胴部及び先端の弾性部は、硬質の発泡ポリウレタン等の材質で形成し、硬質プレートを金属製のプレートで形成して、胴部に対してテーピング部材４により接着することにより、部品点数を少なくして、簡素な組み立てにより押付工具とする。【選択図】図４
0003147275.tif 000002
【実用新案登録請求の範囲】
【請求項１】
平坦な底面を有し且つ適宜な長さを有する略直方体形状の胴部を有する押付工具であって、該胴部の少なくとも一方の端部へは上面から底面へ向けて傾斜状に窄めると共に平坦な底面を有する弾性部を形成したことを特徴とする押付工具。
【請求項２】
前記押付工具の胴部及び先端の弾性部が適宜な変形力と復元力とを有した同一の材質で一体的に形成されると共に、胴部の上面へは当該胴部の変形力を弱めて硬質とすると共に胴部を把持して該弾性部の底面へ当接した各種部材に対して面状に押圧力を付与することができる硬質プレートを接着したことを特徴とする請求項１に記載の押付工具。
【請求項３】
前記硬質プレートが金属製のプレートであり、胴部に対してテーピング部材により接着されていることを特徴とする請求項２に記載の押付工具。
【考案の詳細な説明】
【考案の詳細な説明】
【産業上の利用分野】
【０００１】本考案は、内装材の切断作業や、内装材の接着を確実にするために用いられる作業補助用の押付工具に係る考案であり、詳細には、壁面などで使用する場合に、安定して押し付けが行える作業補助用の押付工具に関する。
【従来技術】
【０００２】従来より、養生シート等のシート状の内装材を壁面に対して接着させる際や、シーリング材の表面を円滑に仕上げる際等に平坦な底をもつ何らかの道具を用いて押付けていたが、作業者の経験や熟練度に応じて、所望の道具をを選んで使用しているのが現状であり、作業を円滑化させるために適宜な押圧力を付与できる工具は知られていなかった。
【考案の解決すべき課題】
【０００３】本考案は、上記の課題を解消するためになされたものであり、熟練者は勿論のこと、熟練者でなくても各種部材を押し付けることが可能な作業補助用の押付工具を提供することを目的としたものである。
【課題を解決するための手段】
【０００４】本考案は、上記の課題を解決するために、平坦な底面を有し且つ適宜な長さを有する略直方体形状の胴部を有する押付工具として形成し、該胴部の少なくとも一方の端部へは上面から底面へ向けて傾斜状に窄めると共に平坦な底面を有する弾性部を形成したことを特徴とする。この構成により、作業者は胴部を把持して適宜な押圧力を与えることができる。
【０００５】また、本考案は、押付工具の胴部及び先端の弾性部が適宜な変形力と復元力とを有した同一の材質で一体的に形成し、胴部の上面へは当該胴部の変形力を弱めて硬質とすると共に胴部を把持して該弾性部の底面へ当接した各種部材に対して面状に押圧力を付与することができる硬質プレートを接着したことを特徴とする。ここにおいて、押付工具の胴部及び先端の弾性部は、硬質の発泡ポリウレタン等の材質で形成し、硬質プレートを金属製のプレートで形成して、胴部に対してテーピング部材により接着することにより、部品点数を少なくして、簡素な組み立てにより押付工具を製造することができる。
【０００６】また、上記の構成によれば、熟練者でなくとも簡単に各種部材へ押圧力を付与して円滑な作業を行うことが可能である。
【実施例】
【０００７】以下、本考案の作業補助用の押付工具の実施の形態を添付する図面により説明をする。図１は、本考案の押付工具の側面図であり、図２は、本考案の押付工具の底面図であり、図３は、本考案の押付工具の上面図であり、図４は、本考案の押付工具の外観図であり、図５は、本考案の押付工具の図４におけるＡ−Ａ´線断面図である。【０００８】本考案は、内装材の切断作業等に用いられる作業補助用の押付工具に係る考案であり、詳細には、壁面などで使用する場合に、安定して直線の切断作業が可能な作業補助用の押付工具に関するものである。【０００９】図１の側面図に図示の如く、本考案の押付工具は、適宜な幅を有する平坦な底面１ａを有している。この底面１ａは、本考案の押付工具を使用した際に、壁面等の平坦な表面に敷設したシート材等に対して均等な接触面を保つように押圧力を加えることができるような平坦面を備えていると共に、本考案の工具を手で持てるように適宜な長さを有する略直方体形状の胴部１を有する押付工具である。【００１０】前記胴部１の少なくとも一方の端部、図１乃至図５に図示の実施例では両方の端部へは上面１ｂから底面１ａへ向けて傾斜状に窄めた形状で、且つ平坦な底面１ａをそのまま延設した形状の弾性部２を形成したものである。【００１１】本考案の押付工具の胴部１及び先端の弾性部２は、適宜な変形力と復元力とを有した、例えば、発泡ポリウレタンのような同一の材質で一体的に形成される。【００１２】前記胴部１の上面へは当該胴部１の変形力を弱めて硬質とすると共に胴部１を把持して該弾性部の底面１ａへ当接した各種部材に対して面状に押圧力を付与することができる硬質プレート３を接着している。この硬質プレート３は、発泡ポリウレタンのような材質に対して効果的な板状の金属製のプレートとして形成されていて、胴部１に対しては、例えば、接着テープのようなテーピング部材４を長さ方向に対して直交方向に適宜に巻き付けることにより接着されている。【００１３】尚、先端部の弾性部２は、図１において三角形状に形成されるが、完全に先端縁から鋭利な角度で形成されるのではなく、先端縁部分に若干の厚みを残して形成することで押圧力を保持することができる。【００１４】本考案の押付工具を使用するに際して、図４の外観図で示すテーピング部材４で被覆された胴部１を手で把持し、先端の弾性部２の底面１ａを各種のシート状の部材に対して当てがう。【００１５】その際、テーピング部材４で被覆された胴部１は、硬質プレート３により弾性変形し難いので、先端の弾性部２が適宜に変形してシート状の部材を確りと面部に押し付けることが可能である。
【考案の効果】
【００１６】本考案は、前述の如く構成したものであり、作業技術の熟練度を要することなく、正確で且つ安定した押し付け作業が可能であり、また、部品点数が少なく、簡単な組み立て作業で製造できるという効果を有している。
【図面の簡単な説明】
【００１７】
【図１】本考案の押付工具の側面図である。
【図２】本考案の押付工具の底面図である。
【図３】本考案の押付工具の上面図である。
【図４】本考案の押付工具の外観図である。
【図５】本考案の押付工具の図４におけるＡ−Ａ´線断面図である。
【符号の説明】
【００１８】１  胴部
１ａ  底面
１ｂ  上面
２  弾性部
３  硬質プレート
４  テーピング部材
【図１】
0003147275.tif 000003
【図２】
0003147275.tif 000004
【図３】
0003147275.tif 000005
【図４】
0003147275.tif 000006
【図５】
0003147275.tif 000007